(57)【要約】【課題】冷気循環用の通気路内を清潔に保つ。【解決手段】断熱性の貯蔵庫本体３１内における仕切壁４５を挟んだ上側には、前面開口３３に開閉扉３４が備えられた貯蔵室４０が、下側には、冷却器５５と庫内ファン５４とが収容された冷却器室６０がそれぞれ設けられるとともに、仕切壁４５の両端部には、冷却器室６０と貯蔵室４０とを連通する通気路６５，７０が設けられ、冷却器５５で熱交換により生成された冷気が一方の通気路６５から貯蔵室４０に吹き出されたのち他方の通気路７０から吸い込まれるように循環供給される冷却貯蔵庫３０において、少なくとも一つの通気路６５が貯蔵室４０に対して上面が開口した形態で形成され、この通気路６５内には、冷気の流通を許容するごみ受け８０が上面開口から出し入れ可能に装着されている。【選択図】図３
2015155771.tif 000002
【特許請求の範囲】
【請求項１】
断熱性の貯蔵庫本体内における仕切壁を挟んだ上側には、前面開口に開閉扉が備えられた貯蔵室が、下側には、冷却器と庫内ファンとが収容された冷却器室がそれぞれ設けられるとともに、
前記仕切壁の両端部には、前記冷却器室と前記貯蔵室とを連通する通気路が設けられ、
前記冷却器で熱交換により生成された冷気が一方の前記通気路から前記貯蔵室に吹き出されたのち他方の前記通気路から吸い込まれるように循環供給される冷却貯蔵庫において、
少なくとも一つの前記通気路が前記貯蔵室に対して上面が開口した形態で形成され、この通気路内には、冷気の流通を許容するごみ受けが上面開口から出し入れ可能に装着されていることを特徴とする冷却貯蔵庫。
【請求項２】
前記ごみ受けが装着された前記通気路が、前記仕切壁における前記貯蔵室の前記前面開口に寄った位置に設けられていることを特徴とする請求項１記載の冷却貯蔵庫。
【請求項３】
ごみ受け機能が備えられる前記通気路は、上面が開口しかつ下端側の側面が前記冷却器室の端部に連通した形態で形成されており、
同通気路の下端部には、前記冷却器室と対向した側面板に複数の通孔が形成された上面開口の箱形をなすごみ受けバットが出し入れ可能に装着されているとともに、同ごみ受けバットの上面に、通気ダクトが出し入れ可能に装着されていることを特徴とする請求項１または請求項２記載の冷却貯蔵庫。
【請求項４】
前記通孔は、前記ごみ受けバットの前記冷却器室と対向した前記側面板における底縁よりも所定寸法上方の領域に形成されていることを特徴とする請求項３記載の冷却貯蔵庫。
【請求項５】
前記通気ダクトが吹出ダクトであって、上面板に複数の吹出口が形成された下面開口の箱形をなすダクト本体と、同ダクト本体内に配されるハニカム構造の整流部材とを備え、同ダクト本体の前記上面板の裏面には、前記整流部材を着脱可能に嵌合して嵌合時には弾性的に保持するホルダが設けられていることを特徴とする請求項３または請求項４記載の冷却貯蔵庫。
【請求項６】
前記貯蔵庫本体の下面側には、断熱性の別の貯蔵庫本体が連設されて、この別の貯蔵庫本体の天井部には、前記冷却器室が、前記別の貯蔵庫本体内への冷気の循環供給が併せて可能な形態で配設されていることを特徴とする請求項１ないし請求項５のいずれか一項に記載の冷却貯蔵庫。
【発明の詳細な説明】
【技術分野】
【０００１】
本発明は、底部側に冷却器室を備えた形式の冷却貯蔵庫に関する。
【背景技術】
【０００２】
この種の冷却貯蔵庫の一例として、下記特許文献１に記載された冷蔵ショーケースが知られている。このものは、断熱性のケース本体の底部に仕切壁が設けられて、同仕切壁の上側に、前面開口にガラス製のスライド扉が備えられた貯蔵室が、下側に、冷却器と庫内ファンとが収容された冷却器室がそれぞれ設けられるとともに、仕切壁の前後両端部に、冷却器室と貯蔵室とを連通する通気路が設けられた構造であって、冷却器で熱交換により生成された冷気が一方の通気路から貯蔵室に吹き出されたのち他方の通気路から吸い込まれるように循環供給されることで、貯蔵室に収容された食品等が冷却されるようになっている。
【先行技術文献】
【特許文献】
【０００３】
【特許文献１】特許第４０８２９３６号公報
【発明の概要】
【発明が解決しようとする課題】
【０００４】
ところで、この種の冷蔵ショーケースでは、スライド扉を開閉しつつ食品等を出し入れするのであるが、食品の種類によっては出し入れする際に食品屑が落ちることがある。特に食品屑が通気路内に落下すると、完全に除去することが難しく、その対策が希求されていた。  
本発明は上記のような事情に基づいて完成されたものであって、その目的は、冷気循環用の通気路内を清潔に保つところにある。
【課題を解決するための手段】
【０００５】
本発明は、断熱性の貯蔵庫本体内における仕切壁を挟んだ上側には、前面開口に開閉扉が備えられた貯蔵室が、下側には、冷却器と庫内ファンとが収容された冷却器室がそれぞれ設けられるとともに、前記仕切壁の両端部には、前記冷却器室と前記貯蔵室とを連通する通気路が設けられ、前記冷却器で熱交換により生成された冷気が一方の前記通気路から前記貯蔵室に吹き出されたのち他方の前記通気路から吸い込まれるように循環供給される冷却貯蔵庫において、少なくとも一つの前記通気路が前記貯蔵室に対して上面が開口した形態で形成され、この通気路内には、冷気の流通を許容するごみ受けが上面開口から出し入れ可能に装着されているところに特徴を有する。
【０００６】
貯蔵室へ食品等の貯蔵物を出し入れすることに伴って食品屑等のごみが出た場合、上面に開口した通気路にはそのごみが落ち込むおそれがあるが、ごみは同通気路に配されたごみ受けに溜められる。ごみを除去する場合は、開閉扉を開けておいて、ごみ受けを上面開口を通して通気路から取り出し、庫外へ出して適宜の廃棄場所に捨て、そののち空になったごみ受けを再び通気路に装着する。すなわち、仮に通気路にごみが入ったとしても、ごみ受けに溜めて適宜に庫外に廃棄することにより簡単にかつ確実に除去することができ、通気路内を清潔に保つことができる。
【０００７】
また、以下のような構成としてもよい。  
（１）前記ごみ受けが装着された前記通気路が、前記仕切壁における前記貯蔵室の前記前面開口に寄った位置に設けられている。  
貯蔵室の前面開口に寄った位置の通気路にごみ受けが配されているのであるから、ごみ受けを庫外に出し入れする作業がしやすい。
【０００８】
（２）ごみ受け機能が備えられる前記通気路は、上面が開口しかつ下端側の側面が前記冷却器室の端部に連通した形態で形成されており、同通気路の下端部には、前記冷却器室と対向した側面板に複数の通孔が形成された上面開口の箱形をなすごみ受けバットが出し入れ可能に装着されているとともに、同ごみ受けバットの上面に、通気ダクトが出し入れ可能に装着されている。  
食品屑等のごみは、通気ダクトを通ったのちごみ受けバットに溜められる。ごみを捨てる場合は、通気ダクトを外したのちごみ受けバットを取り出して、庫外で廃棄すればよい。ごみ捨て作業が簡単に行える。
【０００９】
（３）前記通孔は、前記ごみ受けバットの前記冷却器室と対向した前記側面板における底縁よりも所定寸法上方の領域に形成されている。  
ごみ受けバットを取り出す際に、溜まったごみが通孔から通気路内に落下することが防がれる。
【００１０】
（４）前記通気ダクトが吹出ダクトであって、上面板に複数の吹出口が形成された下面開口の箱形をなすダクト本体と、同ダクト本体内に配されるハニカム構造の整流部材とを備え、同ダクト本体の前記上面板の裏面には、前記整流部材を着脱可能に嵌合して嵌合時には弾性的に保持するホルダが設けられている。  
ダクト本体内に整流部材を嵌め込み形式の着脱可能に設けた構造であるから、通気ダクトを掃除するに当たり、ダクト本体から整流部材を取り外して個々に掃除することができ、すなわち綺麗にかつ迅速に掃除することができる。
【００１１】
（５）前記貯蔵庫本体の下面側には、断熱性の別の貯蔵庫本体が連設されて、この別の貯蔵庫本体の天井部には、前記冷却器室が、前記別の貯蔵庫本体内への冷気の循環供給が併せて可能な形態で配設されている。  
２つの貯蔵庫本体が積み上げられて、その間に、各貯蔵庫本体に冷気を循環供給し得る冷却器室が設けられた形態の冷却貯蔵庫にあっては、上側の貯蔵庫本体に設けられた上面開口の通気路にごみが落ち込むと、下側の貯蔵庫本体用の通気部を通って下側の貯蔵庫本体内に落下することが懸念されるが、仮にごみが落ち込んだとしてもごみ受けに溜められることにより、下側の貯蔵庫本体内に落下することが防止される。
【発明の効果】
【００１２】
本発明によれば、冷気循環用の通気路内を清潔に保つことができる。
【図面の簡単な説明】
【００１３】
【図１】本発明の一実施形態に係る冷蔵庫の正面図
【図２】同縦断面図
【図３】吹出路付近の構造を示す断面図
【図４】ごみ受けバットの斜視図
【図５】吹出ダクトにおけるダクト本体の斜視図
【図６】吹出ダクトの一部切欠底面図
【図７】吹出ダクトにおける整流部材の装着構造を示す裏側から視た分解斜視図
【図８】ごみ受けバットの着脱動作を示す斜視図
【図９】吹出ダクトの着脱動作を示す斜視図
【図１０】ごみ受けバットと吹出ダクトとの装着完了状態を示す斜視図
【発明を実施するための形態】
【００１４】
＜実施形態＞
本発明の一実施形態を図１ないし図１０に基づいて説明する。この実施形態では、ドロワ式冷蔵庫に冷蔵ショーケースを一体的に積み上げた形態の冷蔵庫を例示している。  
冷蔵庫は、図１及び図２に示すように、機械室１０の上面に、冷蔵ショーケース３０（以下、ショーケース部３０）を積み上げたドロワ式冷蔵庫２０（以下、ドロワ部２０）が載置され、機械室１０の底面の四隅に設けられた脚部１１によって支持されている。機械室１０内には、圧縮機１３、空冷式の凝縮器１４等からなる冷凍装置１２が収納されている。
【００１５】
ドロワ部２０は、前面に出入口２１Ａが開口された断熱箱体からなるドロワ部本体２１と、同出入口２１Ａを前面から開閉する断熱扉２３の裏面下部に、ホテルパンｐ等を載置する枠体２４を延出して設けたドロワ２２とを備えており、このドロワ２２が図示しないガイドに沿ってドロワ部本体２１に対して引き出し可能に装着された構造となっている。ドロワ部本体２１の天井壁２５の奥端寄りの位置には、後記する冷却器室６０を形成するべく窓孔２６が開口されている。
【００１６】
ショーケース部３０は、ドロワ部２０と比べて奥行が短く、ドロワ部２０の上面の奥側に載置されるようになっている。ショーケース部３０は、基本的には前面開口の断熱箱からなるケース本体３１を備えており、ただし上面、左右両面及び奥面は、二重ガラス３２により形成されている。  
ケース本体３１の前面開口部３３には、ガラス板製の一対のスライド扉３４が、同前面開口部３３の上下両縁に設けられたレール３５Ｕ，３５Ｌに沿って、引き違い形式の開閉可能に装着されている。  
ケース本体３１の内部が貯蔵室４０とされ、貯蔵室４０内には、ケーキ等の食品を載せて陳列する陳列棚４１が上下２段に亘って設けられている。ケース本体３１の底壁４２には、上記したドロワ部本体２１の天井壁２５の窓孔２６より一回り大きい取付孔４３が開口されている。
【００１７】
ケース本体３１の内底面には、取付孔４３並びにドロワ部本体２１の天井壁２５の窓孔２６における奥側の大半の領域を覆うようにして、方形の仕切壁４５が装着されている。
仕切壁４５は、扁平な方形箱状をなす基壁４６を備えており、同基壁４６の左右両側面の奥側の位置には、導入孔４７が開口されているとともに、基壁４６の底面の奥端には、下向きの吸込ダクト４８がほぼ全幅に亘って連設されている。基壁４６の底面における吸込ダクト４８の前方の領域には、下面開放の方形浅皿状をなす取付板４９が、図３に示すように、その前端を基壁４６の前端から所定寸法突出させた形態で張られている。この取付板４９の突出した前端部が、第１受け面５０となっている。
【００１８】
仕切壁４５は、基壁４６の底面の奥縁が、取付孔４３の上縁に形成された段差部４３Ａで受けられるとともに、取付板４９における左右の側面の前端部が、窓孔２６の左右の側面に設けられた整流部を兼ねた受け部５２で受けられることにより、取付孔４３並びに窓孔２６における奥側の大半の領域を覆うようにして装着されている。
【００１９】
仕切壁４５（取付板４９）の下面には、庫内ファン５４と冷却器５５とが、前後に並びかつ仕切壁４５から吊り下げられた形態で設けられている。  
一方、ドロワ部本体２１の天井面には、窓孔２６の下面側を全面に亘って覆うようにして、断面溝状をなす仕切ダクト５６が張られており、これにより冷却器室６０が構成されている。上記のように仕切壁４５が装着されることに伴い、庫内ファン５４と冷却器５５とが冷却器室６０内に前後に並んで収容された状態となる。冷却器５５は、機械室１０内に装備された冷凍装置１２と冷媒配管により循環接続され、冷凍回路が構成されている。
【００２０】
冷却器室６０の前端部では、後部側が一段高くなった段付き状の仕切板６２が全幅に亘って張られている。仕切板６２の後側の高位面６４は、受け部５２の直下位置まで延出されている。したがって、同仕切板６２の上側から、仕切壁４５の前面と、窓孔２６から取付孔４３に亘る前面及び下側のレール３５Ｌにおける基部３６の内面との間の隙間に亘り、冷却器室６０の前端からショーケース本体３１の底壁４２における前面開口部３３の直後位置に達するように、概ねＬ型をなして上面に開口した吹出路６５が形成されている。
一方、冷却器室６０の後端部（奥端部）には、仕切壁４５の基壁４６における導入孔４７を備えた後端部から吸込ダクト４８に亘って、吸込路７０が形成されている。
【００２１】
また、仕切ダクト５６における前側の前上がりの傾斜面には、ドロワ部２０用の吹出口５７が複数開口されているとともに、後側の後上がりの傾斜面には、吸込口５８が複数開口されている。
【００２２】
したがって冷蔵庫が運転され、すなわち冷凍装置１２と庫内ファン５４とが駆動されると、冷却器５５で熱交換により生成された冷気の一部が、図２の実線の矢線に示すように、吹出路６５からスライド扉３４の直後を立ち上がるようにして吹き出されたのち、貯蔵室４０の奥面側に回って吸込路７０から吸い込まれるように循環供給され、これにより貯蔵室４０に陳列された食品等が冷却保存される。  
併せて、冷気の残部が、同図の鎖線の矢線に示すように、前側の吹出口５７から吹き出されてドロワ部本体２１内を回ったのち、後側の吸込口５８から吸い込まれるように循環供給され、ドロワ部本体２１内の貯蔵物が冷却保存されるようになっている。
【００２３】
さて、上記した仕切壁４５の前端側に設けられた吹出路６５における縦路６５Ａ内には、図３に示すように、ごみ受けバット８０（以下、単にバット８０）と、吹出ダクト９０とが上下に重ねられた形態で装着されている。  
吹出路６５の縦路６５Ａの前面壁では、同図に示すように、窓孔２６の前側の孔縁が、取付孔４３の前側の孔縁よりも所定寸法奥側（同図の右側）に突出しており、この突出した窓孔２６の上側の孔縁部が、第２受け面６６とされている。また、下側のレール３５Ｌの基部３６の上面における幅狭の後縁部（奥側のガイド壁３７より後側の縁部）が、第３受け面６７とされている。  
縦路６５Ａにおける左右の側壁の上面は、図８に示すように、取付孔４３の左右の孔縁部における露出した前端部（露出面６８）によって、所定寸法下がった形態で形成されている。左右の露出面６８は、第１受け面５０と同じ高さ位置にある。
【００２４】
バット８０は、ステンレス鋼板等の金属板製であって、図３及び図４に示すように、上面開口の横長の箱形に形成されている。バット８０はより詳細には、縦路６５Ａの左右方向の全幅よりも少し短い長さ寸法と、仕切板６２の前側の低位面６３から、仕切壁４５の前面に形成された第１受け面５０に至る高さよりも僅かに小さい深さ寸法を有している。
バット８０の後面板８１（図４の手前側の面）には、その左右両端部において、丸孔からなる複数の通孔８２が形成されている。これらの通孔８２の形成領域は、バット８０の内底面よりも所定寸法上の領域に限定されている。
【００２５】
バット８０の後面板８１の上縁には、上記した第１受け面５０に載置可能な被載置板８３が後方に突出した形態で形成されている。一方、前面板８４の上縁部には、所定の高さ寸法を持って前方に突出した部分が形成され、この突出した部分が、縦路６５Ａの前面壁に形成された第２受け面６６に載置可能な被載置部８５とされている。  
バット８０の上面開口における左右の側縁からは、持ち手８６が外側に張り出した形態で形成されている。
【００２６】
バット８０は、図８に示すように、吹出路６５内に上面開口から挿入され、図３及び図９に示すように、後面上縁の被載置板８３が第１受け面５０で、前面上縁の被載置部８５が第２受け面６６でそれぞれ受けられることにより、吊り下げ状態で支持される。そのとき、図３に示すように、バット８０の底面は、仕切板６２の前側の低位面６３の直上に位置するとともに、後面板８１が、冷却器室６０の出口側と対向した状態となる。  
左右の持ち手８６は、図９に示すように、左右の側壁の露出面６８における内側の端部寄りの位置に軽く載せられるか、少し浮いた状態で覆う形態を採る。
【００２７】
吹出ダクト９０は、図３及び図５ないし図７に示すように、ダクト本体９１と、同ダクト本体９１内に収容される整流部材１１０とを備えている。  
ダクト本体９１は、ステンレス鋼板等の金属板製であって、前面並びに下面開口の横長の箱形に形成されている。ダクト本体９１はより詳細には、縦路６５Ａの上部側の全幅に匹敵する長さ寸法を有している。ダクト本体９１の上面板９２における後端側の角部には傾斜面が形成されているとともに、同上面板９２の前縁には、前方に突出したのち下向きに直角曲げされた鉤状部９３が形成されている。  
ダクト本体９１の上面板９２には、４本の長孔を前後方向に並べてなる吹出口９４が、合計８個所定間隔を開けて長さ方向に沿って形成されている。
【００２８】
図３に示すように、ダクト本体９１の後面板９５と上記した鉤状部９３の前面との間の水平方向の距離が、下側のレール３５Ｌにおける奥側のガイド壁３７と、仕切壁４５における基壁４６の前面との間隔に等しい寸法に設定されており、したがってダクト本体９１は、上記の吹出路６５の上部側に緊密に嵌められ、後面板９５の下縁が仕切壁４５の前面側の第１受け面５０に、鉤状部９３の前面の下縁が、下側のレール３５Ｌの第３受け面６７に当たったところで押し込みが停止される。  
このときダクト本体９１は、その下面開口がバット８０の上面開口と正対して合わさり、かつ上面板９２が水平姿勢をなす。また、後面板９５の上縁が、仕切壁４５の基壁４６の上面から突出するとともに、鉤状部９３の前面の上縁も、レール３５Ｌのガイド壁３７よりも上方に突出するようになっている。
【００２９】
ダクト本体９１内には、整流部材１１０が着脱可能に装着されるようになっている。この整流部材１１０は、硬質塩化ビニル等の合成樹脂からなるハニカム構造体として形成されている。整流部材１１０は全体として、ダクト本体９１の上面板９２における吹出口９４が形成された帯状領域全域の裏面側を覆った形態で、同ダクト本体９１内に収まることが可能な角柱形に形成されており、適度な弾力性を有している。
【００３０】
整流部材１１０は、ホルダ１００を介してダクト本体９１内に装着できるようになっている。ホルダ１００はステンレス鋼板等の金属板製であって、整流部材１１０が緊密に嵌合可能なチャンネル形に形成され、ダクト本体９１の左右方向の長さに匹敵する長さ寸法を有している。  
ホルダ１００の天井板１０１には、ダクト本体９１の各吹出口９４と対応する位置ごとに、方形状の開口部１０２が合計８個形成されている。ホルダ１００の両側板１０３の下縁には、外側に斜めに開いた誘い込み部１０４が形成されている。
【００３１】
ホルダ１００は、その天井板１０１が、吹出口９４と開口部１０２を整合させた形態においてダクト本体９１の上面板９２の裏面に当てられ、長さ方向において間隔を開けた複数箇所をスポット溶接することで固定されている。  
整流部材１１０は、ホルダ１００の下端開口から適宜に弾縮されつつ押し込まれることで装着され、正規量押し込まれたときには、その下端部がホルダ１００の下縁から突出し、ただしダクト本体９１の下縁の少し上方に留まるようになっている。
【００３２】
本実施形態は上記のような構造であって、使用形態の一例を説明する。  
ショーケース部３０において、仕切壁４５の手前側に形成された吹出路６５の縦路６５Ａには、既述した要領により、バット８０と、吹出ダクト９０とが順次に装着される。簡単に繰り返すと、図８に示すように、バット８０が縦路６５Ａの下端部に向けて落とし込むように挿入され、図３及び図９に示すように、後面の被載置板８３が第１受け面５０で、前面の被載置部８５が第２受け面６６でそれぞれ受けられることにより、吊り下げ状態で支持される。
【００３３】
続いて、整流部材１１０が装着された状態の吹出ダクト９０が、図９に示すように、バット８０の上面開口を覆うようにして縦路６５Ａの上端部に緊密に嵌め込まれる。吹出ダクト９０は、図３及び図１０に示すように、後面板９５の下縁が第１受け面５０に、鉤状部９３が下側のレール３５Ｌの第３受け面６７に当たったところで押し込みが停止され、このときダクト本体９１の下面開口が、バット８０の上面開口と正対して連通した状態となる。
【００３４】
この状態から冷蔵庫が運転され、すなわち冷凍装置１２と庫内ファン５４とが駆動されると、ドロワ部２０では、冷却器５５で生成された冷気の一部が、図２の鎖線の矢線に示すように、前側の吹出口５７から吹き出されてドロワ部本体２１内を回ったのち、後側の吸込口５８から吸い込まれるように循環供給され、ドロワ部本体２１内に収納された貯蔵物が冷却保存される。
【００３５】
一方、ショーケース部３０では、冷却器５５で生成された冷気の残部が、図２の実線に示すように吹出路６５を通り、詳細には、図３の実線の矢線に示すように、冷気が後面板８１の通孔８２からバット８０内に流入したのち上方に向きを変え、吹出ダクト９０内の整流部材１１０を通って整流されたのち、吹出ダクト９０の上面の開口部１０２と吹出口９４から吹き出される。この吹き出された冷気は、図２の実線の矢線に示すように、スライド扉３４の直後を立ち上がったのち、貯蔵室４０の奥面側に回って吸込路７０から吸い込まれるように循環供給され、これにより貯蔵室４０に陳列された食品等が冷却保存される。
【００３６】
ショーケース部３０では、スライド扉３４を開閉しつつ食品等が出し入れされるが、食品の種類により例えばケーキのようなものであると、出し入れの際に食品屑が出てそれが吹出路６５に落ち込むおそれがある。具体的には、吹出ダクト９０の上面の開口（吹出口９４と開口部１０２）から整流部材１１０を通って落下するが、落下した食品屑は、吹出ダクト９０の下方に配されたバット８０で受けられて溜められる。そのため、冷却器室６０内や、さらにはドロワ部２０側の吹出口５７を通ってドロワ部本体２１内に落ち込むことが防止される。
【００３７】
適宜のタイミングを見計らって、バット８０に溜められた食品屑等のごみが捨てられる。その場合は、冷蔵庫の運転を止めるとともに、スライド扉３４を外してショーケース部３０の前面開口部３３を開放する（図３及び図１０の状態）。係る状態から、前面開口部３３を通して手を入れて、ダクト本体９１の鈎状部９３におけるガイド壁３７から突出した上端部と、同後面板９５の仕切壁４５から突出した上端部を掴んで引き上げると、図９に示すように、吹出ダクト９０が吹出路６５の上端部から外され、引き続いて前面開口部３３を通して庫外に出される。
【００３８】
次に、図９に示すように、上部側が空になった吹出路６５に手を入れて、持ち手８６を持ちつつバット８０を引き上げることにより、図８に示すように、バット８０が吹出路６５の上方に外されるから、引き続いて前面開口部３３を通して庫外に出される。そののち、適宜の廃棄場所においてバット８０に溜まったごみが捨てられ、必要に応じてバット８０が水洗いされる。
【００３９】
先に取り出された吹出ダクト９０を水洗いする場合は、整流部材１１０のホルダ１００から突出した端部を前後から掴んで引き抜くことで、整流部材１１０がホルダ１００から外されるから、ダクト本体９１（ホルダ１００を含む）と、整流部材１１０とを個々に丁寧に水洗いすることができる。
【００４０】
バット８０並びに吹出ダクト９０が水洗いされて乾いたら、吹出ダクト９０には整流部材１１０がホルダ１００に嵌め付けられて装着される。そうしたら、既述したと同様に、バット８０を吹出路６５の下端部に入れて吊り下げ支持したのち、吹出ダクト９０を吹出路６５の上端部に嵌めることにより、吹出ダクト９０とバット８０とを上下に重ねて装着し、続いてスライド扉３４を嵌めたのち、冷蔵庫の運転を再開すればよい。
【００４１】
本実施形態によれば、以下のような数々の効果を得ることができる。  
本実施形態では、ショーケース部３０において、ケース本体３１の底壁４２における前面開口部３３の直後位置に、冷却器室６０の出口から貯蔵室４０に達する上面開口の略Ｌ字形をなす吹出路６５が形成されているのに対し、同吹出路６５の角部に、冷却器室６０から導入した冷気を上方に向ける、言わば９０度折れ曲がった冷気通路を構成する上面開放の箱形をなすバット８０が装着された構造となっており、そのため仮に吹出路６５内に食品屑等のごみが落ちてきたとしても、同ごみは全てバット８０内の底面上に受けられ、冷却器室６０や、下側のドロワ部２０に落下することが確実に防がれる。
【００４２】
バット８０に溜められたごみは、吹出路６５内を清潔に保つ意味から適宜に捨てることが必要である。ここで、吹出路６５にバット８０を介設する部分の構造は、吹出路６５の下部側にバット８０を吊り下げ支持する一方、吹出路６５の上部側に吹出ダクト９０を嵌め込んで塞ぐようになっている。ごみを捨てる場合は、吹出ダクト９０を上方に引き抜いて外したのち、バット８０を持ち上げて取り出し、庫外で廃棄すればよい。結果、ごみ捨て作業が簡単に行える。  
特に、吹出路６５は前面開口部３３の直後位置に設けられているから、バット８０を吹出路６５から取り出したり、さらに庫外への取り出すことも簡単に行える。また、バット８０を外したのちに露出される仕切板６２の低位面６３も、簡単に拭き掃除等をすることができる。
【００４３】
バット８０の後面板８１には、冷却器室６０からの冷却を導入するべく通孔８２が開口されているが、同通孔８２の形成領域は、バット８０の内底面よりも所定寸法上の領域に限定されている。そのため、バット８０の底面にごみが溜まった状態で通孔８２から冷気が導入された場合も、冷気を受けてごみが巻き上げられるといったことがない。また、ごみを捨てるべくバット８０を吹出路６５から取り出す際に、溜まったごみが通孔８２から吹出路６５内に落下することが防がれる。
【００４４】
吹出ダクト９０は、ハニカム構造体からなる整流部材１１０を装着することで冷気を勢い良く真直に吹き上げることに寄与しているが、ハニカム構造体であるが故にごみが詰まりやすいことも懸念される。それに対して本実施形態では、整流部材１１０がダクト本体９１に対して着脱可能に装着されているから、整流部材１１０をダクト本体９１から外すことで綺麗に水洗い等をすることができる。また、整流部材１１０は、自身の弾性を利用してダクト本体９１に設けたホルダ１００に嵌め込むことにより装着されているから、整流部材１１０自身の着脱も容易に行うことができる。
【００４５】
＜他の実施形態＞
本発明は上記記述及び図面によって説明した実施形態に限定されるものではなく、例えば次のような実施形態も本発明の技術的範囲に含まれる。  
（１）吹出ダクトに整流部材を弾性的に保持する手段として、ホルダ側を弾性材で形成するようにしてもよい。  
（２）吹出ダクトに装着された整流部材は割愛してもよく、そのようなものも本発明の技術的範囲に含まれる。
【００４６】
（３）ショーケース部において、冷気の循環方向が上記実施形態とは逆であって、前面開口部の直後に上面開口の吸込路が形成されたものにおいても、同吸込路に対して本発明のごみ受け手段を有効に適用することができる。  
（４）吹出路と吸込路とが共に上面開口の構造である場合は、両方に本発明のごみ受け手段を適用してもよい。
【００４７】
（５）上記実施形態では、冷蔵ショーケースの下面側にドロワ式冷蔵庫を一体的に設けた形式の冷蔵庫を例示したが、冷蔵ショーケース単体にも本発明は適用することができる。  
（６）本発明はさらに、底部に冷却器室を備えた形式の冷却貯蔵庫全般について、広く適用することができる。
【符号の説明】
【００４８】
２０…ドロワ式冷蔵庫（ドロワ部）  ２１…ドロワ部本体（別の貯蔵庫本体）  ３０…冷蔵ショーケース（ショーケース部：冷却貯蔵庫）  ３１…ケース本体（貯蔵庫本体）  ３３…前面開口部（前面開口）  ３４…スライド扉（開閉扉）  ４０…貯蔵室  ４５…仕切壁  ５４…庫内ファン  ５５…冷却器  ６０…冷却器室  ６５…吹出路（通気路）  ７０…吸込路  ８０…ごみ受けバット（ごみ受け）  ８１…後面板  ８２…通孔  ９０…吹出ダクト（通気ダクト）  ９１…ダクト本体  ９２…上面板  ９４…吹出口  １００…ホルダ  １１０…整流部材
【図１】
2015155771.tif 000003
【図２】
2015155771.tif 000004
【図３】
2015155771.tif 000005
【図４】
2015155771.tif 000006
【図５】
2015155771.tif 000007
【図６】
2015155771.tif 000008
【図７】
2015155771.tif 000009
【図８】
2015155771.tif 000010
【図９】
2015155771.tif 000011
【図１０】
2015155771.tif 000012